【事件の表示】
　特願２０１３−１５５４６３「多層ディスクに情報を記録する方法および記録装置」拒絶査定不服審判事件〔平成２５年１１月２１日出願公開、特開２０１３−２３５６４７〕について、次のとおり審決する。
【結　論】
　本件審判の請求は、成り立たない。
【理　由】
１．手続の経緯
　本願は、平成１６年１０月１２日（パリ条約による優先権主張　国際事務局受理　２００３年１０月１３日　欧州特許庁（ＥＰ））を国際出願日とする特願２００６−５３０９９０号の一部を平成２３年９月１２日に新たな出願とした特願２０１１−１９８０６５号の一部を平成２５年７月２６日に新たな出願としたものであって、手続の概要は以下のとおりである。
　上申書　　　　　　　　　　：平成２５年　８月　８日
　拒絶理由通知　　　　　　　：平成２６年　３月１０日（起案日）
　意見書　　　　　　　　　　：平成２６年１０月　３日
　手続補正　　　　　　　　　：平成２６年１０月　３日
　拒絶査定　　　　　　　　　：平成２７年　３月　４日（起案日）
　拒絶査定不服審判請求　　　：平成２７年　７月　９日
　理由補充　　　　　　　　　：平成２７年　８月２０日
２．本願発明
　本願の請求項１ないし５に係る発明は、平成２６年１０月３日付け手続補正により補正された特許請求の範囲の請求項１ないし５に記載された事項により特定されるとおりのものと認められるところ、請求項１に係る発明（以下「本願発明」という。）は、次のとおりのものである。
「　【請求項１】
　少なくとも２つの情報層を含み、該情報層の各々が内側制御情報領域とユーザー情報領域と外側制御情報領域とを含んでいる多層光記録担体上に、情報を記録する方法であって、
　前記少なくとも２つの情報層のうち第１の情報層の前記ユーザー情報領域に、ユーザー情報を表す情報パターンを書き込む第１の記録工程と、
　前記第１の記録工程の後に、前記少なくとも２つの情報層のうち第２の情報層の前記ユーザー情報領域に、ユーザー情報を表す情報パターンを書き込む第２の記録工程と、
　前記第２の記録工程の後に、前記第１の情報層と前記第２の情報層との前記内側制御情報領域および前記外側制御情報領域に、制御情報を表す情報パターンを書き込む仕上げ工程とを含み、
　前記第２の記録工程より前に、前記第２の情報層の前記内側制御情報領域と前記外側制御情報領域との少なくとも一方に、制御情報の少なくとも１つのＥＣＣブロックを表す情報パターンを書き込む開始工程をさらに含み、前記制御情報を表す情報パターンは前記第２の情報層の前記ユーザー情報領域に隣接して書き込まれ、オールゼロからなるダミーデータを有することを特徴とする方法。」
３．先願明細書等
　原査定の拒絶の理由に引用された、本願の優先権主張の日前の特許出願であって、本願の優先権主張の日後に公開された特願２００３−２９４２６１号（平成１５年８月１８日出願、特開２００５−６３５８９号）の願書に最初に添付した明細書、特許請求の範囲及び図面（以下「先願明細書等」という。）には、図面と共に、以下の記載がある。（なお、下線は当審で付与した。）
（１）「【０００１】
　本発明は、
複数の情報記録層を含む記録媒体に対応する
記録方法
（２）「【００１１】
　そこで本発明は、記録可能タイプであって、多層とされた記録層を有する記録媒体について、ユーザーデータの記録動作の途中に記録層移行が行われた場合でも、再生動作に支障がないようにすることを目的とする。」
（３）「【００１７】
１．記録層のエリア構造
　本実施の形態では、大容量ディスク記録媒体としてＤＶＤ（Digital Versatile Disc）を例に挙げ、また後述するディスクドライブ装置は、ＤＶＤとしてのディスクに対して記録再生を行う装置とする。
　
ＤＶＤ方式のディスク
ここでは、ライトワンスメディアであるＤＶＤ＋Ｒ及びリライタブルディスクであるＤＶＤ＋ＲＷを例に挙げて説明していく。
（４）「【００２０】
　インフォメーションゾーンは主に以下の５つの領域から構成される。
　［１］インナードライブエリア
　［２］
リードインゾーン（リードインエリアともいう）
　［３］
データゾーン（データエリアともいう）
　［４］
リードアウトゾーン（リードアウトエリアともいう）
　［５］アウタードライブエリア」
（５）「【００２２】
　フィジカルセクターナンバ（ＰＳＮ：物理セクターナンバ）は、ディスク上の絶対位置情報として付与されている。
　図示するように、例えばディスク内周側から外周側に掛けてフィジカルセクターナンバの値は増加されていく。ＤＶＤ＋Ｒ、ＤＶＤ＋ＲＷの場合、ＰＳＮ＝２ＦＦＦＦｈ（ｈを付した数値は１６進表現）がリードインゾーンの終端とされ、ＰＳＮ＝３００００ｈからデータゾーンが開始される。
　
データゾーンは、基本的にはユーザーデータの書込が行われる領域であり、またリードインゾーンは、管理情報の書込が行われる。またリードアウトゾーンは例えば再生専用ディスクとの互換維持などの目的からダミーデータの書込が行われるが、ＤＶＤ＋ＲＷの場合など、リードインゾーンと略同内容の管理情報が記録される場合もある。
（６）「【００２７】
　ＤＶＤ＋Ｒ、ＤＶＤ＋ＲＷにおいては、リードインに書き込まれる管理情報としては図２のような構造のデータを備える。
　図２ではリードインゾーン内の管理情報として構造について、そのアドレス位置を先頭ＰＳＮで示すと共に、データサイズをセクター数で示している。
　
リードインゾーン内は
バッファゾーン２（Buffer Zone 2）が形成される。
（７）「【００３１】
　図４（ａ）に示す
パラレルトラックパスの場合、レイヤ０、１ともに、内周側から外周側にかけてリードインエリア、データエリア、リードアウトエリアが形成される。
　そしてデータの記録はレイヤ０の内周のStart PSN(=30000h)から始まりレイヤ０のデータエリアの最終であるEnd PSN(0)まで記録される。その、続きはレイヤ１の内周側のStart PSN(=30000h)から外周側のEnd PSN(1)までという記録順序で記録が行われる。
　論理ブロックアドレスＬＢＡは、図４（ｂ）に示すように、レイヤ０の内周側から外周側まで、さらにレイヤ１の内周側から外周側までという方向性で、順番に連続に割り振られる。
【００３２】
　次に、オポジットトラックパスの場合を図５に示す。オポジットトラックパスとされるディスクでは、レイヤ０の内周から始まりレイヤ０の終わりまで記録した後に、レイヤ１の外周から内周へ向かう記録順序となる。
　図５（ａ）に示すように、
オポジットトラックパスの場合、レイヤ０では内周側から外周側にかけてリードインエリア、データエリア、ミドルエリアが形成される。またレイヤ１では外周側から内周側にかけて、ミドルエリア、データエリア、リードアウトエリアが形成される。
　そしてデータの記録はレイヤ０の内周のStart PSN(=30000h)から始まりレイヤ０のデータエリアの最終であるEnd PSN(0)まで記録される。その続きはレイヤ１のデータエリアの外周側（反転End PSN(0)）から内周側のEnd PSN(1)までという記録順序となる。
　論理ブロックアドレスＬＢＡは、図５（ｂ）に示すように、レイヤ０の内周側から外周側まで連続に割り振られた後、レイヤ１では折り返すように外周側から内周側までという方向性で、順番に連続に割り振られる。
【００３３】
　このようにパラレルトラックパスとオポジットトラックパスでは、データの物理的な格納方法（順番）の違いがある。
　また、オポジットトラックパスの場合、層間折り返し部分より外周にはミドルエリアが付加される。これは次の理由による。オポジットトラックパスの場合は、レイヤ０にリードインエリアが形成され、レイヤ１にリードアウトエリアが形成される。このためデータエリアの外周側には、リードインエリア／リードアウトエリアが形成されない。一方で、再生専用装置ではディスク盤面に記録したピットを読むので、ピットの無い領域ではサーボもかからずデータを安定して読み出す事ができない。その為にガードとなる領域が必要になる。この必要性から、
外周側にミドルエリアが形成され、例えばダミーデータが記録されて、リードアウトエリアと同様の機能が持たされるものとしている。
（８）「【００４７】
４．ユーザーデータ記録処理例Ｉ
　
　上記ディスクドライブ装置による２層ディスクに対するユーザデータの記録処理例を説明する。
　なお、
ディスク１に対しては、ユーザーデータの記録後においてクローズ（ファイナライズ）処理が行われることによって、リードイン、リードアウト、ミドルエリアが適正に形成され、再生互換性が得られる
　また、２層ディスクへのユーザーデータの記録を行った場合で、クローズ（ファイナライズ）が行われていない時点では、レイヤ１の再生が適正に行えないことを、本発明が解決しようとする課題において説明した。
　以下説明する本例の記録処理では、２層ディスク１に対して、ユーザーデータの記録動作の途中に記録層移行が行われた場合に、クローズ（ファイナライズ）が行われる前でも、その再生動作に支障がないようにするものである。
【００４８】
　図７によりユーザーデータの記録の際のコントローラ１２の処理を示し、またその動作の様子を図８を参照して説明する。なお
図８では、ディスク１がオポジットトラックパスのディスクである場合の例としている。
　図７において、ステップＦ１０１では、コントローラ１２はユーザーデータ記録処理を開始させる。
　なお、一連のユーザーデータ記録を開始するにあたっては、所定サイズのバッファ領域（ガード領域）の形成のために例えばダミーデータの記録を行い、それに続いて実際のユーザーデータ記録が開始される。
　ユーザーデータの記録開始後は、ステップＦ１０２で、記録層の移行を行うか否かを判断する。例えばコントローラ１２は、レイヤ０においてユーザーデータの記録を開始した後において、記録が進行し、レイヤ０におけるユーザーデータの記録可能な最大アドレスに達した際に、レイヤ１への移行を行うと判断する。また、最大アドレスに達しなくても、記録処理を実行させるアプリケーションもしくはホスト機器からの指示、或いは所定の
動作プログラムに応じては、レイヤ１への移行を行うこともある。
　また、ステップＦ１０３では、ユーザーデータの書込が終了したか否かを監視している。
　レイヤ０の或るアドレスからユーザーデータの記録を開始した後、レイヤ移行が無いままステップＦ１０３で書込終了と判断されたら、ステップＦ１０８で書込動作を終了させる処理を行い、一連のユーザーデータの記録処理を終了させる。この場合、レイヤ０内でホスト機器から指示されたユーザーデータの記録を完了した場合である。またレイヤ１の或るアドレスからユーザーデータの記録を開始し、その後ステップＦ１０３で書込終了と判断された場合も同様であり、この場合、レイヤ１内でホスト機器から指示されたユーザーデータの記録を完了した場合となる。
【００４９】
　
レイヤ０でのユーザーデータの記録を実行している過程において、
レイヤ１への移行を行うこととなった場合は、
一旦ユーザーデータの記録動作を中断させる。
　通常はこの時点ではガードブロックは形成されていないため、ステップＦ１０６に進んでガードブロック形成処理を行う。例えば
レイヤ１においてユーザーデータの記録を再開するアドレスの直前の所定範囲の領域にダミーデータの記録を実行させ、ガードブロックとする。
　そして
ガードブロックの記録処理がユーザーデータの記録再開するアドレスに達したら、
そのアドレスからユーザーデータの記録を再開させる。
　ユーザーデータの記録再開後は、ステップＦ１０２，Ｆ１０３の監視処理に戻り、２層ディスクの場合はさらなるレイヤの移行はないため、ある時点でステップＦ１０３でユーザーデータの書込終了と判断されて、ステップＦ１０８で書込動作を終了させて処理を終える。
　なお、後述するが３層以上の記録層を有するディスクも考えられ、その場合は、レイヤ移行後も、さらにステップＦ１０２でレイヤ移行を行うとされる場合も考えられる。その場合は同様にステップＦ１０４〜Ｆ１０７の処理が行われる。」
（９）「【００５３】
　なお、上記のように
レイヤ１でのユーザーデータの記録に先立って記録されたガードブロックＧＢは、その後のクローズ（ファイナライズ）処理が行われることによって、図５に示したミドルエリアの一部となる。
（１０）「【００６２】
　
図１２はパラレルトラックパスの場合を示している。
　図１２（ａ）は、例えばアドレスＡｄ２１はレイヤ０のデータゾーンの先頭、アドレスＡｄ２４はレイヤ１でのデータゾーンの先頭であるとする。
　レイヤ０においてはデータゾーンの先頭であるアドレスＡｄ２１からアドレスＡｄ２２の範囲にユーザーデータＤＡ１〜ＤＡ７が記録される。そして残りのデータＤＡ８は、レイヤ１に移行して、そのデータゾーンの先頭（アドレスＡｄ２４）からアドレスＡｄ２５の範囲に記録されるとする。
　この場合、上記図７又は図９の処理で
ガードブロックＧＢが記録されるのは、アドレスＡｄ２４の直前の領域（Ａｄ２３〜Ａｄ２４）となる。なお、パラレルトラックパスの場合、レイヤ１においてデータゾーンの先頭より内周側はリードインゾーンとなる。このためアドレスＡｄ２４の直前の領域（Ａｄ２３〜Ａｄ２４）とは、例えば図２のバッファゾーン２としての領域であればよい。
（１１）「【００６４】
　
図１３は記録層が３層のオポジットトラックパスのディスクの例を示している。
　図１３（ａ）では、ユーザーデータＤＡ１〜ＤＡ１６を記録する場合であり、図示するように、まずレイヤ０において内周側から外周側にデータＤＡ１〜ＤＡ６が記録され、続いてレイヤ１では外周側から内周側に向かってデータＤＡ７〜ＤＡ１２が記録され、さらにレイヤ２では内周側から外周側に向かってデータＤＡ１３〜ＤＡ１６が記録された場合を示している。
　この場合、上記図７又は図９の処理でガードブロックＧＢが形成されるのは、レイヤ１におけるユーザーデータＤＡ７より外周側となる所定範囲の領域と、レイヤ２においてユーザーデータＤＡ１３より内周側となる所定範囲の領域となる。
　図１３（ｂ）は、ユーザーデータＤＡ１〜ＤＡ７を記録する場合であり、特にレイヤ１の途中から記録が開始された場合である。この場合、レイヤ１では外周側から内周側に向かってデータＤＡ１〜ＤＡ４が記録され、層間移行して後レイヤ２では内周側から外周側に向かってデータＤＡ５〜ＤＡ７が記録された状態を示している。
　この場合、上記図７又は図９の処理でガードブロックＧＢが形成されるのは、レイヤ２においてユーザーデータＤＡ５より内周側となる所定範囲の領域となる。
　即ち３層ディスクの場合も、ユーザーデータ記録の際に層間移行が発生したら、その移行先のレイヤにおいてユーザーデータ記録開始位置に先立つ領域にガードブロックＧＢが形成されればよいものである。
　
３層のパラレルトラックパスの場合、さらには４層以上の記録層のディスク（オポジットトラックパス／パラレルトラックパス）の場合も、考え方は同様である。
【００６５】
　以上、実施の形態としての処理例や、ガードブロックＧＢの形成の各種例を説明してきたが、本発明としての変形例や適用例はさらに各種考えられる。
　
まずＤＶＤ方式の２層の記録可能タイプのディスクとしてＤＶＤ＋Ｒ、ＤＶＤ＋ＲＷを例に挙げて述べたが、もちろん同様にＤＶＤ−Ｒ、ＤＶＤ−ＲＷ、ＤＶＤ−ＲＡＭなどとしての複数記録層のディスクについても、上述のようにユーザーデータ記録過程での層間移行に対応してガードブロックＧＢを形成することが好適である。
　また、ＤＶＤ方式のディスクに限らず、ＣＤ方式、ブルーレイディスク方式など、他の種のディスク、さらにはディスク以外のメディアでも、複数記録層の記録媒体として、本発明は有用である。」
　上記摘示事項及び図面の記載から以下のことがいえる。
（ａ）先願明細書等には、複数の情報記録層を含む記録媒体（ＤＶＤ方式のディスク）に対応する記録方法が記載されている（摘示事項（１）、（３）。
（ｂ）パラレルトラックパスの場合、レイヤ０、１ともに、内周側から外周側にかけてリードインエリア、データエリア、リードアウトエリアが形成される（摘示事項（７））。
（ｃ）オポジットトラックパスの場合、レイヤ０では内周側から外周側にかけてリードインエリア、データエリア、ミドルエリアが形成される。またレイヤ１では外周側から内周側にかけて、ミドルエリア、データエリア、リードアウトエリアが形成される（摘示事項（７））。
（ｄ）データエリアは、基本的にはユーザーデータの書込が行われる領域であり、またリードインエリアは、管理情報の書込が行われる。またリードアウトエリアは例えば再生専用ディスクとの互換維持などの目的からダミーデータの書込が行われる（摘示事項（４）、（５））。オポジットトラックパスの場合、外周側にミドルエリアが形成され、例えばダミーデータが記録されて、リードアウトエリアと同様の機能が持たされるものとしている（摘示事項（７））。
（ｅ）オポジットトラックパスのディスクである場合、レイヤ０でのユーザーデータの記録を実行している過程において、レイヤ１への移行を行うこととなった場合は、一旦ユーザーデータの記録動作を中断させる。レイヤ１においてユーザーデータの記録を再開するアドレスの直前の所定範囲の領域にダミーデータの記録を実行させ、ガードブロックとする。ガードブロックの記録処理がユーザーデータの記録再開するアドレスに達したら、そのアドレスからユーザーデータの記録を再開させる（摘示事項（８））。
（ｆ）レイヤ１でのユーザーデータの記録に先立って記録されたガードブロックは、その後のクローズ（ファイナライズ）処理が行われることによって、ミドルエリアの一部となる（摘示事項（９））。
（ｇ）パラレルトラックパスのディスクである場合、ガードブロックが記録されるのは、レイヤ１においてデータエリアの先頭の直前の領域であるリードインエリアのバッファゾーン２としての領域である（摘示事項（６）、（１０））。
（ｈ）ディスクに対しては、ユーザーデータの記録後においてクローズ（ファイナライズ）処理が行われることによって、リードイン、リードアウト、ミドルエリアが適正に形成される（摘示事項（８））。
　以上を総合勘案すると、先願明細書等には、次の発明（以下「先願発明」という。）が記載されているものと認める。
「パラレルトラックパスの場合、レイヤ０、１ともに、内周側から外周側にかけてリードインエリア、データエリア、リードアウトエリアが形成され、　オポジットトラックパスの場合、レイヤ０では内周側から外周側にかけてリードインエリア、データエリア、ミドルエリアが形成され、レイヤ１では外周側から内周側にかけて、ミドルエリア、データエリア、リードアウトエリアが形成され、
　データエリアは、ユーザーデータの書込が行われる領域であり、リードインエリアは、管理情報の書込が行われる領域であり、リードアウトエリア、ミドルエリアはダミーデータの書込が行われる領域であるＤＶＤ方式のディスクに対応する記録方法であって、
　オポジットトラックパスのディスクである場合、レイヤ０でのユーザーデータの記録を実行している過程において、レイヤ１への移行を行うこととなった場合は、一旦ユーザーデータの記録動作を中断させ、
　レイヤ１においてユーザーデータの記録を再開するアドレスの直前の所定範囲の領域にダミーデータの記録を実行させ、ガードブロックとし、
　ガードブロックの記録処理がユーザーデータの記録再開するアドレスに達したら、そのアドレスからユーザーデータの記録を再開させ、
　レイヤ１でのユーザーデータの記録に先立って記録されたガードブロックは、その後のクローズ（ファイナライズ）処理が行われることによって、ミドルエリアの一部となり、
　パラレルトラックパスのディスクである場合、ガードブロックが記録されるのは、レイヤ１においてデータエリアの先頭の直前の領域であるリードインエリアのバッファゾーン２としての領域であり、
　ディスクに対しては、ユーザーデータの記録後においてクローズ（ファイナライズ）処理が行われることによって、リードイン、リードアウト、ミドルエリアが適正に形成される方法。」
４．対比
　そこで、本願発明と先願発明とを対比する。
（１）情報を記録する方法
　一般には、制御情報領域のほとんどは、たとえばオールゼロのようなダミーデータで満たされることとなる。しかしながら一般には同時に、制御情報領域（とりわけリードイン領域）の一部は、ディスクを識別する制御情報（たとえば、物理フォーマット情報や、ディスク製造情報）で満たされる（本願明細書【０００６】）。
　先願発明において、パラレルトラックパスの場合、レイヤ０、１ともに、内周側から外周側にかけてリードインエリア、データエリア、リードアウトエリアが形成され、データエリアは、ユーザーデータの書込が行われる領域であり、リードインエリアは、管理情報の書込が行われる領域であり、リードアウトエリアはダミーデータの書込が行われる領域であるから、先願発明の「リードインエリア」、「データエリア」、「リードアウトエリア」は、それぞれ、「内側制御情報領域」、「ユーザー情報領域」、「外側制御情報領域」といえる。
　先願発明において、オポジットトラックパスの場合、レイヤ０では内周側から外周側にかけてリードインエリア、データエリア、ミドルエリアが形成され、レイヤ１では外周側から内周側にかけて、ミドルエリア、データエリア、リードアウトエリアが形成され、データエリアは、ユーザーデータの書込が行われる領域であり、リードインエリアは、管理情報の書込が行われる領域であり、リードアウトエリア、ミドルエリアはダミーデータの書込が行われる領域であるから、先願発明の「リードインエリア」及び「リードアウトエリア」、「データエリア」、「ミドルエリア」は、それぞれ、「内側制御情報領域」、「ユーザー情報領域」、「外側制御情報領域」といえる。
　したがって、本願発明と先願発明とは、「少なくとも２つの情報層を含み、該情報層の各々が内側制御情報領域とユーザー情報領域と外側制御情報領域とを含んでいる多層光記録担体上に、情報を記録する方法」である点で共通する。
（２）第１の記録工程
　先願発明は、レイヤ０でのユーザーデータの記録を実行するものであるから、本願発明と先願発明とは、「前記少なくとも２つの情報層のうち第１の情報層の前記ユーザー情報領域に、ユーザー情報を表す情報パターンを書き込む第１の記録工程」を含む点で共通する。
（３）第２の記録工程
　先願発明は、レイヤ０でのユーザーデータの記録を実行している過程において、レイヤ１への移行を行うこととなった場合は、一旦ユーザーデータの記録動作を中断させ、レイヤ１においてユーザーデータの記録を再開するアドレスからユーザーデータの記録を再開させるものであるから、本願発明と先願発明とは、「前記第１の記録工程の後に、前記少なくとも２つの情報層のうち第２の情報層の前記ユーザー情報領域に、ユーザー情報を表す情報パターンを書き込む第２の記録工程」を含む点で共通する。
（４）仕上げ工程
　先願発明は、ディスクに対しては、ユーザーデータの記録後においてクローズ（ファイナライズ）処理が行われることによって、リードイン、リードアウト、ミドルエリアが適正に形成されるものであるから、本願発明と先願発明とは、「前記第２の記録工程の後に、前記第１の情報層と前記第２の情報層との前記内側制御情報領域および前記外側制御情報領域に、制御情報を表す情報パターンを書き込む仕上げ工程」を含む点で共通する。
（５）開始工程
　先願発明は、レイヤ１においてユーザーデータの記録を再開するアドレスの直前の所定範囲の領域にダミーデータの記録を実行させ、ガードブロックとするものである。オポジットトラックパスのディスクである場合、レイヤ１でのユーザーデータの記録に先立って記録されたガードブロックは、その後のクローズ（ファイナライズ）処理が行われることによって、ミドルエリアの一部となる。パラレルトラックパスのディスクである場合、ガードブロックが記録されるのは、レイヤ１においてデータエリアの先頭の直前の領域であるリードインエリアのバッファゾーン２としての領域である。
　したがって、本願発明と先願発明とは、「前記第２の記録工程より前に、前記第２の情報層の前記内側制御情報領域と前記外側制御情報領域との少なくとも一方に、制御情報を表す情報パターンを書き込む開始工程をさらに含み、前記制御情報を表す情報パターンは前記第２の情報層の前記ユーザー情報領域に隣接して書き込まれ、ダミーデータを有する」点で共通する。
　もっとも、「開始工程において書き込まれる制御情報を表す情報パターン」について、本願発明は、制御情報「の少なくとも１つのＥＣＣブロック」を表す情報パターンであるのに対し、先願発明は、明示的な特定がない点、及び、「開始工程において書き込まれる制御情報を表す情報パターンが有するダミーデータ」について、本願発明は、「オールゼロからなる」ダミーデータであるのに対し、先願発明は、明示的な特定がない点で相違する。
　そうすると、本願発明と引用発明とは、次の点で一致する。
＜一致点＞
「少なくとも２つの情報層を含み、該情報層の各々が内側制御情報領域とユーザー情報領域と外側制御情報領域とを含んでいる多層光記録担体上に、情報を記録する方法であって、
　前記少なくとも２つの情報層のうち第１の情報層の前記ユーザー情報領域に、ユーザー情報を表す情報パターンを書き込む第１の記録工程と、
　前記第１の記録工程の後に、前記少なくとも２つの情報層のうち第２の情報層の前記ユーザー情報領域に、ユーザー情報を表す情報パターンを書き込む第２の記録工程と、
　前記第２の記録工程の後に、前記第１の情報層と前記第２の情報層との前記内側制御情報領域および前記外側制御情報領域に、制御情報を表す情報パターンを書き込む仕上げ工程とを含み、
　前記第２の記録工程より前に、前記第２の情報層の前記内側制御情報領域と前記外側制御情報領域との少なくとも一方に、制御情報を表す情報パターンを書き込む開始工程をさらに含み、前記制御情報を表す情報パターンは前記第２の情報層の前記ユーザー情報領域に隣接して書き込まれ、ダミーデータを有することを特徴とする方法。」の点。
　そして、次の点で一応相違する。
＜一応の相違点＞
（１）「開始工程において書き込まれる制御情報を表す情報パターン」について、本願発明は、制御情報「の少なくとも１つのＥＣＣブロック」を表す情報パターンであるのに対し、先願発明は、明示的な特定がない点。
（２）「開始工程において書き込まれる制御情報を表す情報パターンが有するダミーデータ」について、本願発明は、「オールゼロからなる」ダミーデータであるのに対し、先願発明は、明示的な特定がない点。
５．判断
　そこで、上記一応の相違点について検討する。
一応の相違点（１）について
　ＤＶＤ−再生専用ディスクの規格であるＪＩＳ　Ｘ　６２４１（平成９年１０月３１日、原査定の拒絶の理由に引用）若しくはＥＣＭＡ−２６７（１９９７年１２月、原査定の拒絶の理由に引用）の第４章データフォーマットの１５．概要には、主データは、ディスクに記録する前に、データフレーム、スクランブルドフレーム、ＥＣＣブロック、記録フレーム、物理セクタの順に変換し、フォーマットを行うことが記載され、同第５章情報ゾーンのフォーマットの２６．リードインゾーンの２６．４バッファゾーン２には、このゾーンは、３２（当審注：ＪＩＳ　Ｘ　６２４１の「３０」は誤りで正しくはＥＣＭＡ−２６７の「３２」）ＥＣＣブロックからなる５１２物理セクタで構成し、このゾーンでの物理セクタとして最終的に記録したデータフレームの主データは、（００）に設定することが記載され、また、同２７．ミドルゾーンには、ミドルゾーンでの物理セクタとして最終的に記録するデータフレームの主データは、（００）に設定することが記載されている。
　また、ＤＶＤ−レコーダブルディスクの規格であるＪＩＳ　Ｘ　６２４５（平成１１年１２月３１日）若しくはＥＣＭＡ−２７９（１９９８年１２月、原査定の拒絶の理由に引用）の第４章データフォーマットの１５．概要、同第５章情報ゾーンのフォーマットの２５．１リードインゾーンの２５．１．４バッファゾーン２にも同様の記載がある。
　そして、先願発明は、「ＤＶＤ方式のディスクに対応する記録方法」であるから、上記各規格に従う。オポジットトラックパスのディスクである場合、レイヤ１でのユーザーデータの記録に先立って記録されたガードブロックは、その後のクローズ（ファイナライズ）処理が行われることによって、ミドルエリアの一部となり、パラレルトラックパスのディスクである場合、ガードブロックが記録されるのは、レイヤ１においてデータエリアの先頭の直前の領域であるリードインエリアのバッファゾーン２としての領域であるから、先願発明の「ガードブロック」は、ＥＣＣブロックからなる。
　ＪＩＳ　Ｘ　６２４５若しくはＥＣＭＡ−２７９の第４章データフォーマットの２３．リンキング方式には、記録は、ＥＣＣブロックの第１の物理セクタの第２同期フレームの８２番目〜８７番目の間のバイトで開始し、ＥＣＣブロックの第１の物理セクタの第２同期フレームの８６番目のバイトで終了することが記載されている。すなわち、データはＥＣＣブロック単位に記録される。
　したがって、先願発明の「ガードブロック」は、少なくとも１つのＥＣＣブロックからなる。
　よって、一応の相違点（１）は、実質的な相違点ではない。
一応の相違点（２）について
　上述したように、ＪＩＳ　Ｘ　６２４１若しくはＥＣＭＡ−２６７の第５章情報ゾーンのフォーマットの２６．リードインゾーンの２６．４バッファゾーン２には、このゾーンは、３２ＥＣＣブロックからなる５１２物理セクタで構成し、このゾーンでの物理セクタとして最終的に記録したデータフレームの主データは、（００）に設定することが記載され、また、同２７．ミドルゾーンには、ミドルゾーンでの物理セクタとして最終的に記録するデータフレームの主データは、（００）に設定することが記載されている。
　また、ＪＩＳ　Ｘ　６２４５若しくはＥＣＭＡ−２７９の第５章情報ゾーンのフォーマットの２５．１リードインゾーンの２５．１．４バッファゾーン２にも同様の記載がある。
　したがって、先願発明の「ガードブロック」の「ダミーデータ」は、オールゼロからなる。
　よって、一応の相違点（２）も、実質的な相違点ではない。
　したがって、本願発明は、先願発明と実質的に同一であり、しかも、この出願の発明者がその優先権主張の日前の特許出願に係る上記の発明をした者と同一ではなく、またこの出願の時において、その出願人が上記特許出願の出願人と同一でもないので、特許法２９条の２の規定により、特許を受けることができないものである。
６．むすび
　以上のとおり、本願の請求項１に係る発明は、特許法第２９条の２の規定により特許を受けることができない。
　したがって、本願は、その余の請求項について論及するまでもなく拒絶すべきものである。
　よって、結論のとおり審決する。